(57)【特許請求の範囲】
【請求項１】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が高温再生器（２０２）、中温再生器（２０４）、低温再生器（２０６）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
吸収溶液ライン（２５２）の高温溶液熱交換器（３０４）と高温再生器（２０２）との間の領域と、高温溶液熱交換器（３０４）と前記第２の合流点（２３４ｄ）との間の領域と、前記第２の分岐点（２３４ｃ）と前記第１の合流点（２３４ｂ）との間の領域に再生器（２２０、２２４、２２８）が設けられ、該再生器（２２０、２２４、２２８）は第３の冷媒蒸気ライン（２１９、２１９Ｇ１、２１９Ｇ２）を介して凝縮器（２１０）に連通しており且つ該再生器（２２０、２２４、２２８）は外部熱源（Ｑ１、Ｑ２、Ｑ４）に連通しており、吸収溶液ラインを流過する吸収溶液に外部熱源（Ｑ１、Ｑ２、Ｑ４）からの熱量が選択的に投入されて冷媒蒸気を再生し、再生された冷媒蒸気が第３の冷媒蒸気ライン（２１９、２１９Ｇ１、２１９Ｇ２）を介して凝縮器（２１０）へ供給される様に構成されていることを特徴とする吸収冷温水機。
【請求項２】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）を出た吸収溶液が保有する熱量を投入するための高温溶液熱交換器（３０４）とが介装されており、
吸収器（２０８）から高温再生器（２０２）に連通する吸収溶液ライン（２３４，２５２）が、低温溶液熱交換器（３００）と中温溶液熱交換器（３０２）との間の領域の第３の分岐点（３０８）で低温再生器（２０６）に連通する第１の分岐ライン（３０６）が分岐しており、中温溶液熱交換器（３０２）と高温溶液熱交換器（３０４）との間の領域の第４の分岐点（３１１）で中温再生器（２０４）に連通する第２の分岐ライン（３１０）が分岐しており、高温再生器（２０２）から吸収器（２０８）に向かう吸収溶液ライン（３４０、３１２）は、第３の合流点（３２４）で低温再生器（２０６）で加熱された吸収溶液が流れる吸収溶液ライン（２３８）が合流しており、且つ、第４の合流点（３２０）で中温再生器（２０４）で加熱された吸収溶液が流れる吸収溶液ライン（３１８）が合流しており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
吸収溶液ライン（２５２）の高温溶液熱交換器（３０４）と高温再生器（２０２）との間の領域と、高温溶液熱交換器（３０４）と前記第２の合流点（２３４ｄ）との間の領域と、前記第２の分岐点（２３４ｃ）と前記第１の合流点（２３４ｂ）との間の領域に再生器（２２０、２２４、２２８）が設けられ、該再生器（２２０、２２４、２２８）は第３の冷媒蒸気ライン（２１９、２１９Ｇ１、２１９Ｇ２）を介して凝縮器（２１０）に連通しており且つ該再生器（２２０、２２４、２２８）は外部熱源（Ｑ１、Ｑ２、Ｑ４）に連通しており、吸収溶液ラインを流過する吸収溶液に外部熱源（Ｑ１、Ｑ２、Ｑ４）からの熱量が選択的に投入されて冷媒蒸気を再生し、再生された冷媒蒸気が第３の冷媒蒸気ライン（２１９、２１９Ｇ１、２１９Ｇ２）を介して凝縮器（２１０）へ供給される様に構成されていることを特徴とする吸収冷温水機。
【請求項３】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、
吸収器（２０８）から高温再生器（２０２）に連通する吸収溶液ライン（２３４，２５２）が、低温溶液熱交換器（３００）と中温溶液熱交換器（３０２）との間の領域における第３の分岐点（３０８）で低温再生器（２０６）に連通する第１の分岐ライン（３０６）が分岐しており、中温溶液熱交換器（３０２）と高温溶液熱交換器（３０４）との間の領域における第４の分岐点（３１１）で中温再生器（２０４）に連通する第２の分岐ライン（３１０）が分岐しており、高温再生器（２０２）で加熱された吸収溶液が流れる吸収溶液ラインは中温再生器（２０４）に連通しており、中温再生器（２０４）で加熱された吸収溶液が流れる吸収溶液ライン（２４４）は低温再生器（２０６）に連通する前記第１の分岐ライン（３０６）と合流（２４４ｇ）し、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
吸収溶液ライン（２５２）の高温溶液熱交換器（３０４）と高温再生器（２０２）との間の領域と、高温溶液熱交換器（３０４）と前記第２の合流点（２３４ｄ）との間の領域と、前記第２の分岐点（２３４ｃ）と前記第１の合流点（２３４ｂ）との間の領域に再生器（２２０、２２４、２２８）が設けられ、該再生器（２２０、２２４、２２８）は第３の冷媒蒸気ライン（２１９、２１９Ｇ１、２１９Ｇ２）を介して凝縮器（２１０）に連通しており且つ該再生器（２２０、２２４、２２８）は外部熱源（Ｑ１、Ｑ２、Ｑ４）に連通しており、吸収溶液ラインを流過する吸収溶液に外部熱源（Ｑ１、Ｑ２、Ｑ４）からの熱量が選択的に投入されて冷媒蒸気を再生し、再生された冷媒蒸気が第３の冷媒蒸気ライン（２１９、２１９Ｇ１、２１９Ｇ２）を介して凝縮器（２１０）へ供給される様に構成されていることを特徴とする吸収冷温水機。
【請求項４】
高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、中温再生器（２０４）から高温再生器（２０２）に向う領域（２５２）に介装されて吸収器（２０８）に向う吸収溶液が保有する熱量を投入するための高温溶液熱交換器（３０４）とが介装されており、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
吸収溶液ライン（２５２）の高温溶液熱交換器（３０４）と高温再生器（２０２）との間の領域と、中温再生器（２０４）と前記第２の合流点（２３４ｄ）との間の領域と、低温再生器（２０６）と前記第１の合流点（２３４ｂ）との間の領域に再生器（２２０、２３４Ｂ、２２８Ｂ）が設けられ、該再生器（２２０、２３４Ｂ、２２８Ｂ）は第３の冷媒蒸気ライン（２１９）を介して凝縮器（２１０）に連通しており且つ該再生器（２２０、２３４Ｂ、２２８Ｂ）は外部熱源（Ｑ１、Ｑ３、Ｑ５）に連通しており、吸収溶液ラインを流過する吸収溶液に外部熱源（Ｑ１、Ｑ３、Ｑ５）からの熱量が選択的に投入されて冷媒蒸気を再生し、再生された冷媒蒸気が第３の冷媒蒸気ライン（２１９）を介して凝縮器（２１０）へ供給される様に構成されていることを特徴とする吸収冷温水機。
【請求項５】
高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、
高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、
吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、第２の合流点（２３４ｄ）と高温再生器（２０２）との間の領域（２５２）に介装されて吸収器（２０８）に向う吸収溶液が保有する熱量を投入するための高温溶液熱交換器（３０４）とが介装されており、
吸収器（２０８）を出た吸収溶液が、低温再生器（２０６）、中温再生器（２０４）、高温再生器（２０２）の順に流過する吸収溶液ラインと、高温再生器（２０２）と吸収器（２０８）とを連通する吸収溶液ライン（１１０）とを有し、低温再生器（２０６）と中温再生器（２０４）とを連通する吸収溶液ライン（２６２）の低温再生器（２０６）と中温溶液熱交換器（３０２）との間の第５の分岐点（２６４）から分岐する第１の分岐ライン（２６８）を有し、第１の分岐ライン（２６８）は高温再生器（２０２）と吸収器（２０８）とを連通する吸収溶液ライン（１１０）の中温溶液熱交換器（３０２）と低温溶液熱交換器（３００）との間の領域における第５の合流点（２６６）に合流し、中温再生器（２０４）と高温再生器（２０２）とを連通する吸収溶液ライン（２７０）の中温再生器（２０４）と高温溶液熱交換器（３０４）との間の第６の分岐点（２７２）から分岐する第２の分岐ライン（２７６）を有しており、第２の分岐ライン（２７６）は高温再生器（２０２）と吸収器（２０８）とを連通する前記ライン（１１０）の高温溶液熱交換器（３０４）と中温溶液熱交換器（３０２）との間の領域における第６の合流点（２７４）と合流し、
高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、
中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、
吸収溶液ライン（２５２）の高温溶液熱交換器（３０４）と高温再生器（２０２）との間の領域と、中温再生器（２０４）と前記第２の合流点（２３４ｄ）との間の領域と、低温再生器（２０６）と前記第１の合流点（２３４ｂ）との間の領域に再生器（２２０、２３４Ｂ、２２８Ｂ）が設けられ、該再生器（２２０、２３４Ｂ、２２８Ｂ）は第３の冷媒蒸気ライン（２１９）を介して凝縮器（２１０）に連通しており且つ該再生器（２２０、２３４Ｂ、２２８Ｂ）は外部熱源（Ｑ１、Ｑ３、Ｑ５）に連通しており、吸収溶液ラインを流過する吸収溶液に外部熱源（Ｑ１、Ｑ３、Ｑ５）からの熱量が選択的に投入されて冷媒蒸気を再生し、再生された冷媒蒸気が第３の冷媒蒸気ライン（２１９）を介して凝縮器（２１０）へ供給される様に構成されていることを特徴とする吸収冷温水機。
【発明の詳細な説明】
【０００１】
【発明の属する技術分野】
本発明は、吸収冷温水機に関し、特に、高温再生器、中温再生器、低温再生器を有する３重効用吸収冷温水機に関する。
【０００２】
【従来の技術】
図７に、従来の３重効用吸収冷温水機の典型的な一例を示す。
吸収冷温水機Ｊ１は、高温再生器２０２と、中温再生器２０４と、低温再生器２０６と、吸収器２０８と、凝縮器２１０と、蒸発器２１２とを有している。そして、高温再生器２０２には加熱源である蒸気が流過する加熱用蒸気ライン２１４が連通し、加熱用蒸気が保有する熱量が高温再生器２０２内の吸収溶液に投入されて冷媒蒸気が発生（再生）する。
なお、加熱源としては、燃焼バーナーや電熱ヒーター等も使用されている。
【０００３】
高温再生器で発生した蒸気は、蒸気ライン（第１の蒸気ライン２１６）を流れて、中温再生器２０４内の吸収溶液に対して、保有する熱量を投入する。これにより、中温再生器で２０４で冷媒蒸気が発生（再生）する。
中温再生器（２０４）で発生した蒸気は、第２の冷媒蒸気ライン２１８を流れて、低温再生器２０６内の吸収溶液に対して、その保有する熱量を投入し、以って、低温再生器２０６から冷媒蒸気を発生せしめている。
このような、従来の３重効用蒸気焚き吸収冷温水機Ｊ１では、高温再生器２０２で加熱供給される蒸気の熱量が、この系に供給される全熱量であり、例えば近傍に利用可能な熱源があっても系内に供給して利用することができなかった。
【０００４】
本発明者は、エンジンあるいはコージェネ・エンジン等で発生する排熱熱量の吸収冷温水機への利用方法を研究の結果、廃棄する排熱を吸収冷温水機に適用する手段を開発した。
【０００５】
【発明が解決しようとする課題】
本発明は上述したような従来技術の問題点に鑑みて提案されたものであり、外部の排熱を系の中に取り入れて熱量の有効利用をすることが出来る３重効用吸収冷温水機の提供を目的としている。
【０００６】
【課題を解決するための手段】
本発明の吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が高温再生器（２０２）、中温再生器（２０４）、低温再生器（２０６）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、吸収溶液ライン（２５２）の高温溶液熱交換器（３０４）と高温再生器（２０２）との間の領域と、高温溶液熱交換器（３０４）と前記第２の合流点（２３４ｄ）との間の領域と、前記第２の分岐点（２３４ｃ）と前記第１の合流点（２３４ｂ）との間の領域に再生器（２２０、２２４、２２８）が設けられ、該再生器（２２０、２２４、２２８）は第３の冷媒蒸気ライン（２１９、２１９Ｇ１、２１９Ｇ２）を介して凝縮器（２１０）に連通しており且つ該再生器（２２０、２２４、２２８）は外部熱源（Ｑ１、Ｑ２、Ｑ４）に連通しており、吸収溶液ラインを流過する吸収溶液に外部熱源（Ｑ１、Ｑ２、Ｑ４）からの熱量が選択的に投入されて冷媒蒸気を再生し、再生された冷媒蒸気が第３の冷媒蒸気ライン（２１９、２１９Ｇ１、２１９Ｇ２）を介して凝縮器（２１０）へ供給される様に構成されている。（請求項１：図１）
【０００７】
また、本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）を出た吸収溶液が保有する熱量を投入するための高温溶液熱交換器（３０４）とが介装されており、吸収器（２０８）から高温再生器（２０２）に連通する吸収溶液ライン（２３４，２５２）が、低温溶液熱交換器（３００）と中温溶液熱交換器（３０２）との間の領域の第３の分岐点（３０８）で低温再生器（２０６）に連通する第１の分岐ライン（３０６）が分岐しており、中温溶液熱交換器（３０２）と高温溶液熱交換器（３０４）との間の領域の第４の分岐点（３１１）で中温再生器（２０４）に連通する第２の分岐ライン（３１０）が分岐しており、高温再生器（２０２）から吸収器（２０８）に向かう吸収溶液ライン（３４０、３１２）は、第３の合流点（３２４）で低温再生器（２０６）で加熱された吸収溶液が流れる吸収溶液ライン（２３８）が合流しており、且つ、第４の合流点（３２０）で中温再生器（２０４）で加熱された吸収溶液が流れる吸収溶液ライン（３１８）が合流しており、高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、吸収溶液ライン（２５２）の高温溶液熱交換器（３０４）と高温再生器（２０２）との間の領域と、高温溶液熱交換器（３０４）と前記第２の合流点（２３４ｄ）との間の領域と、前記第２の分岐点（２３４ｃ）と前記第１の合流点（２３４ｂ）との間の領域に再生器（２２０、２２４、２２８）が設けられ、該再生器（２２０、２２４、２２８）は第３の冷媒蒸気ライン（２１９、２１９Ｇ１、２１９Ｇ２）を介して凝縮器（２１０）に連通しており且つ該再生器（２２０、２２４、２２８）は外部熱源（Ｑ１、Ｑ２、Ｑ４）に連通しており、吸収溶液ラインを流過する吸収溶液に外部熱源（Ｑ１、Ｑ２、Ｑ４）からの熱量が選択的に投入されて冷媒蒸気を再生し、再生された冷媒蒸気が第３の冷媒蒸気ライン（２１９、２１９Ｇ１、２１９Ｇ２）を介して凝縮器（２１０）へ供給される様に構成されている。（請求項２：図２）
【０００８】
また、本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて低温再生器（２０６）から吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて中温再生器（２０４）から低温再生器（２０６）に向う吸収溶液が保有する熱量を投入するための中温溶液熱交換器（３０２）と、第２の合流点（２３４ｄ）と高温再生器（２０２）との間の領域（２５２）に介装されて高温再生器（２０２）から中温再生器（２０４）に向う吸収溶液が保有する熱量を投入するための高温溶液熱交換器（３０４）とが介装されており、吸収器（２０８）から高温再生器（２０２）に連通する吸収溶液ライン（２３４，２５２）が、低温溶液熱交換器（３００）と中温溶液熱交換器（３０２）との間の領域における第３の分岐点（３０８）で低温再生器（２０６）に連通する第１の分岐ライン（３０６）が分岐しており、中温溶液熱交換器（３０２）と高温溶液熱交換器（３０４）との間の領域における第４の分岐点（３１１）で中温再生器（２０４）に連通する第２の分岐ライン（３１０）が分岐しており、高温再生器（２０２）で加熱された吸収溶液が流れる吸収溶液ラインは中温再生器（２０４）に連通しており、中温再生器（２０４）で加熱された吸収溶液が流れる吸収溶液ライン（２４４）は低温再生器（２０６）に連通する前記第１の分岐ライン（３０６）と合流（２４４ｇ）し、高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域の領域であって中温溶液熱交換器（３０２）をバイパスする領域（２３８ｃ）を流れる吸収溶液に投入する様に構成されており、中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流（３５４）し第２の冷媒ドレン熱交換器（３５８）を介して凝縮器（２１０）に連通し、第２の冷媒ドレン熱交換器（３５８）は、当該合流点（３５４）と凝縮器（２１０）との間の領域（３５６）を流れる冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、吸収溶液ライン（２５２）の高温溶液熱交換器（３０４）と高温再生器（２０２）との間の領域と、高温溶液熱交換器（３０４）と前記第２の合流点（２３４ｄ）との間の領域と、前記第２の分岐点（２３４ｃ）と前記第１の合流点（２３４ｂ）との間の領域に再生器（２２０、２２４、２２８）が設けられ、該再生器（２２０、２２４、２２８）は第３の冷媒蒸気ライン（２１９、２１９Ｇ１、２１９Ｇ２）を介して凝縮器（２１０）に連通しており且つ該再生器（２２０、２２４、２２８）は外部熱源（Ｑ１、Ｑ２、Ｑ４）に連通しており、吸収溶液ラインを流過する吸収溶液に外部熱源（Ｑ１、Ｑ２、Ｑ４）からの熱量が選択的に投入されて冷媒蒸気を再生し、再生された冷媒蒸気が第３の冷媒蒸気ライン（２１９、２１９Ｇ１、２１９Ｇ２）を介して凝縮器（２１０）へ供給される様に構成されている。（請求項３：図３）
【０００９】
また、本発明の吸収冷温水機は、高温再生器（２０２）と、中温再生器（２０４）と、低温再生器（２０６）と、吸収器（２０８）と、凝縮器（２１０）と、蒸発器（２１２）とを有し、吸収器（２０８）から出た吸収溶液が、低温再生器（２０６）、中温再生器（２０４）、高温再生器（２０２）の順に流過する様に構成され、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、中温再生器（２０４）から高温再生器（２０２）に向う領域（２５２）に介装されて吸収器（２０８）に向う吸収溶液が保有する熱量を投入するための高温溶液熱交換器（３０４）とが介装されており、高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、吸収溶液ライン（２５２）の高温溶液熱交換器（３０４）と高温再生器（２０２）との間の領域と、中温再生器（２０４）と前記第２の合流点（２３４ｄ）との間の領域と、低温再生器（２０６）と前記第１の合流点（２３４ｂ）との間の領域に再生器（２２０、２３４Ｂ、２２８Ｂ）が設けられ、該再生器（２２０、２３４Ｂ、２２８Ｂ）は第３の冷媒蒸気ライン（２１９）を介して凝縮器（２１０）に連通しており且つ該再生器（２２０、２３４Ｂ、２２８Ｂ）は外部熱源（Ｑ１、Ｑ３、Ｑ５）に連通しており、吸収溶液ラインを流過する吸収溶液に外部熱源（Ｑ１、Ｑ３、Ｑ５）からの熱量が選択的に投入されて冷媒蒸気を再生し、再生された冷媒蒸気が第３の冷媒蒸気ライン（２１９）を介して凝縮器（２１０）へ供給される様に構成されている。（請求項４：図４）
【００１０】
また、本発明の吸収冷温水機は、高温再生器（２０２）と、中温再生器（２０４）と、低温再生器（２０６）と、吸収器（２０８）と、凝縮器（２１０）と、蒸発器（２１２）とを有し、高温再生器（２０２）には加熱用熱源（Ｂｎ）が付設され、加熱用熱源（Ｂｎ）から供給される熱量が高温再生器（２０２）内の吸収溶液に投入されて冷媒蒸気が再生する様に構成されており、高温再生器（２０２）で再生した蒸気が流過する第１の冷媒蒸気ライン（２１６）が中温再生器（２０４）に連通し、第１の冷媒蒸気ライン（２１６）を流過する冷媒蒸気が保有する熱量が中温再生器（２０４）内の吸収溶液に投入されて冷媒蒸気が再生する様に構成されており、中温再生器（２０４）で再生した蒸気が流過する第２の冷媒蒸気ライン（２１８）が低温再生器（２０６）に連通し、第２の冷媒蒸気ライン（２１８）を流過する冷媒蒸気が保有する熱量が低温再生器（２０６）内の吸収溶液に投入されて冷媒蒸気が再生する様に構成されており、吸収器（２０８）から出た吸収溶液が流過する吸収溶液ライン（２３８ｂ、２３８ｄ、２５２）には、第１の分岐点（２３４ａ）で分岐して第１の合流点（２３４ｂ）で合流する分岐ライン（２３８ｂ）に介装されて吸収器（２０８）に向う吸収溶液が保有する熱量を投入するための低温溶液熱交換器（３００）と、第２の分岐点（２３４ｃ）で分岐して第２の合流点（２３４ｄ）で合流する分岐ライン（２３８ｄ）に介装されて吸収器（２０８）に向う吸収溶液が保有する熱量を投入するための中温溶液熱交換器（３０２）と、第２の合流点（２３４ｄ）と高温再生器（２０２）との間の領域（２５２）に介装されて吸収器（２０８）に向う吸収溶液が保有する熱量を投入するための高温溶液熱交換器（３０４）とが介装されており、吸収器（２０８）を出た吸収溶液が、低温再生器（２０６）、中温再生器（２０４）、高温再生器（２０２）の順に流過する吸収溶液ラインと、高温再生器（２０２）と吸収器（２０８）とを連通する吸収溶液ライン（１１０）とを有し、低温再生器（２０６）と中温再生器（２０４）とを連通する吸収溶液ライン（２６２）の低温再生器（２０６）と中温溶液熱交換器（３０２）との間の第５の分岐点（２６４）から分岐する第１の分岐ライン（２６８）を有し、第１の分岐ライン（２６８）は高温再生器（２０２）と吸収器（２０８）とを連通する吸収溶液ライン（１１０）の中温溶液熱交換器（３０２）と低温溶液熱交換器（３００）との間の領域における第５の合流点（２６６）に合流し、中温再生器（２０４）と高温再生器（２０２）とを連通する吸収溶液ライン（２７０）の中温再生器（２０４）と高温溶液熱交換器（３０４）との間の第６の分岐点（２７２）から分岐する第２の分岐ライン（２７６）を有しており、第２の分岐ライン（２７６）は高温再生器（２０２）と吸収器（２０８）とを連通する前記ライン（１１０）の高温溶液熱交換器（３０４）と中温溶液熱交換器（３０２）との間の領域における第６の合流点（２７４）と合流し、高温再生器（２０２）で再生した蒸気が流れる第１の冷媒蒸気ライン（２１６）の中温再生器（２０４）を経由した以降の領域（２１６Ａ）には第１の冷媒ドレン熱交換器（３５２）が介装されており、第１の冷媒ドレン熱交換器（３５２）は、第１の冷媒蒸気ラインの前記領域（２１６Ａ）を流れる冷媒が保有する熱量を、吸収器（２０８）から高温再生器（２０２）に連通する吸収溶液ライン（２３４）の第２の分岐点（２３４ｃ）と第２の合流点（２３４ｄ）との間の領域であって中温溶液熱交換器（３０２）をバイパスする領域（２３８ｃ）を流れる吸収溶液に投入する様に構成されており、中温再生器（２０４）で再生した蒸気が流れる第２の冷媒蒸気ライン（２１８）の低温再生器（２０６）を経由した以降の領域（２１８Ａ）は、第１の冷媒蒸気ライン（２１６Ａ）の前記領域（２１６Ａ）と合流して第２の冷媒ドレン熱交換器（３５８）を介して凝縮器（２１０）に連通し、第２の冷媒ドレン熱交換器（３５８）は、凝縮器（２１０）に向う冷媒が保有する熱量を、前記吸収溶液ライン（２３４）の第１の分岐点（２３４ａ）と第１の合流点（２３４ｂ）との間の領域であって低温溶液熱交換器（３００）をバイパスする領域（２３８ａ）を流れる吸収溶液に投入する様に構成されており、吸収溶液ライン（２５２）の高温溶液熱交換器（３０４）と高温再生器（２０２）との間の領域と、中温再生器（２０４）と前記第２の合流点（２３４ｄ）との間の領域と、低温再生器（２０６）と前記第１の合流点（２３４ｂ）との間の領域に再生器（２２０、２３４Ｂ、２２８Ｂ）が設けられ、該再生器（２２０、２３４Ｂ、２２８Ｂ）は第３の冷媒蒸気ライン（２１９）を介して凝縮器（２１０）に連通しており且つ該再生器（２２０、２３４Ｂ、２２８Ｂ）は外部熱源（Ｑ１、Ｑ３、Ｑ５）に連通しており、吸収溶液ラインを流過する吸収溶液に外部熱源（Ｑ１、Ｑ３、Ｑ５）からの熱量が選択的に投入されて冷媒蒸気を再生し、再生された冷媒蒸気が第３の冷媒蒸気ライン（２１９）を介して凝縮器（２１０）へ供給される様に構成されている。（請求項５：図５）
【００１１】
斯かる構成を具備する本発明によれば、高温再生器（２０２）で吸収溶液を加熱し再生させる加熱用熱源（Ｂｎ）のほかに、吸収溶液ライン（２３５、２４０、２４６、２５２）に設けられた外部排熱利用の再生器（２２０、２２４、２２８、２３２等）で吸収溶液を加熱して吸収溶液を再生されるよう構成されている。
【００１２】
すなわち、従来技術では利用されなかった系外の排熱を再生器（２２０、２２４、２２８、２３２等）へ供給してその保有する熱量を、再生器に向けて流れている吸収溶液（再生器に供給される吸収溶液）に投入して、該吸収溶液の顕熱を上昇すると共に冷媒溶液を再生する、という形態で有効利用される。
【００１３】
その結果、付設のバーナーから投入される熱量が同一であっても、排熱で冷媒蒸気が再生されるため、吸収冷温水機全体で冷媒蒸気（水蒸気）の再生量が増大し、吸収冷温水機の効率が向上する。
【００１４】
【発明の実施の形態】
以下、添付図面を参照して、本発明の実施形態を説明する。
【００１５】
図１は、本発明の第１実施形態である冷媒ドレン熱交換器つきのシリーズフロータイプの３重効用吸収冷温水機Ｓ８を示している。
図１において、吸収冷温水機Ｓ８は、高温再生器２０２と、中温再生器２０４と低温再生器２０６と吸収器２０８と凝縮器２１０と、蒸発器２１２と、冷媒ドレン熱交換器と、吸収溶液が流れるライン２３４等と、冷媒蒸気が流れるライン２１６等と、吸収溶液を加熱し再生させる加熱用熱源のバーナーＢｎと、外部の排熱により吸収溶液を加熱し再生させる再生器２２０・・・２３２等、とで主要部が構成されていている。
【００１６】
吸収器２０８は、第１の吸収部２０８Ｌと第２の吸収部２０８Ｈに分離して構成され、第１の吸収部２０８Ｌに溶液吸収器３６２が設けられている。溶液吸収器３６２は、吸収器２０８から再生器２０２、２０４、２０６に向かう稀釈吸収溶液に、再生器２０２、２０４、２０６で加熱され且つ吸収器２０８内を滴下する吸収溶液が保有する熱量を投入する機能を有して構成されている。
【００１７】
蒸発器２１２は、第１の蒸発部２１２Ｌと第２の蒸発部２１２Ｈに分離して構成されている。
吸収器２０８と高温再生器２０２は、稀釈吸収溶液ライン２３４で連通されている。
【００１８】
高温再生器２０２に向かう吸収溶液ライン２３４は、分岐部２３４ａで、低温溶液熱交換器３００を介装した領域２３８ｂと第２の冷媒ドレン熱交換器３５８を介装した領域２３８ａとに分岐され、合流部２３４ｂで合流するよう構成されている。
【００１９】
第２の冷媒ドレン熱交換器３５８は、その中を流れる冷媒が有する熱量が領域２３８ａを流れる吸収溶液に投入される様に構成されている。
また、分岐部２３４ｃで、中温溶液熱交換器３０２を介装した領域２３８ｄと第１の冷媒ドレン熱交換器３５２を介装した領域２３８ｃとに分岐され、合流部２３４ｄで合流するよう構成されている。
【００２０】
第１の冷媒ドレン熱交換器３５２は、その中を流れる冷媒が有する熱量を領域２３８ｃを流れる吸収溶液に投入するよう構成されている。
また、吸収溶液ライン２３４の合流部２３４ｄと高温再生器２０２との間に高温溶液熱交換器３０４が介装されている。
【００２１】
高温再生器２０２と中温再生器２０４とは、高温溶液熱交換器３０４と熱的に接触する吸収溶液ライン３４０で連通され、また第１の冷媒蒸気ライン２１６で連通されている。
【００２２】
第１の冷媒蒸気ライン２１６は、ライン内を通過する冷媒蒸気が保有する熱量が、中温再生器２０４内の吸収溶液に投入されて冷媒蒸気が再生されるよう構成されている。
【００２３】
中温再生器２０４と低温再生器２０６とは、中温溶液熱交換器３０２と熱的に接触する吸収溶液ライン２４４で連通され、また、第２の冷媒蒸気ライン２１８と、第２の冷媒ドレン熱交換器３５２に熱的に接触する領域２１６Ａとこれに接続する冷媒蒸気ライン３５６とで連通されている。
【００２４】
第２の冷媒蒸気ライン２１８は、ライン内を通過する冷媒蒸気が保有する熱量が、低温再生器２０６内の吸収溶液に投入されて冷媒蒸気が再生されるよう構成されている。
【００２５】
低温再生器２０６と凝縮器２１０は、第２の冷媒ドレン熱交換器３５８と熱的に接触する冷媒蒸気ライン２１８Ａが連通されている。また、低温再生器２０６と吸収器２０８とは、低温溶液熱交換器３００と熱的に接触する吸収溶液ライン３７２で連通されている。
【００２６】
高温再生器２０２に、加熱用熱源であるバーナーＢｎが付設され、ライン２１４によって燃料Ｑ０がバーナーＢｎに供給されるよう構成されている。バーナーＢｎは、高温再生器２０２内の吸収溶液に熱量を投入して冷媒溶液を再生させるよう構成されている。
なお、加熱用熱源は、バーナーＢｎに限定されるものでなく、電熱ヒーター、蒸気ヒーター等であってもよい。
【００２７】
再生器２２０は、吸収溶液ライン２３４の高温溶液熱交換器３０４と高温再生器２０２との間の領域２５２に介装され、ライン５１０によって外部排熱源Ｑ１に連通されている。
【００２８】
再生器２２４は、吸収溶液ライン２３４の高温溶液熱交換器３０４と合流部２３４ｄとの間に介装され、ライン５２０によって外部排熱源Ｑ２に連通されている。
【００２９】
再生器２２８は、吸収溶液ライン２３４の合流部２３４ｂと分岐部２３４ｃとの間に介装され、ライン５４０によって外部排熱源Ｑ４に連通されている。
再生器２２２は、吸収溶液ライン３４０の高温溶液熱交換器３０４と中温再生器３０２との間に介装され、ライン５５０によって外部排熱源Ｑ５に連通されている。
【００３０】
再生器２５５は、吸収溶液ライン２４４の中温溶液熱交換器３０２と低温再生器２０６との間に介装され、ライン５６０によって外部排熱源Ｑ６に連通されている。
再生器２３０は、吸収溶液ライン３７２の低温溶液熱交換器３００と吸収器２０８との間に介装され、ライン５７０によって外部排熱源Ｑ７に連通されている。
【００３１】
再生器２２０と凝縮器２１０との間は、第３の冷媒蒸気ライン２１９で連通され、再生器２２４と２２８はそれぞれ蒸気ラインで合流部２１９Ｇ１、２１９Ｇ２で第３の冷媒蒸気ライン２１９に合流するよう構成されている。
【００３２】
また、再生器２２２と凝縮器２１０との間は、第４の冷媒蒸気ライン１４Ｂｄで連通され、再生器２５５と２３０はそれぞれ蒸気ラインで合流部２１Ｊ、２１Ｋで第４の冷媒蒸気ライン１４Ｂｄに合流するよう構成されている。
【００３３】
上記各再生器２２０、２２４、２２８、２２２、２５５、２３０及び第１、第２の冷媒ドレン熱交換器３５２、３５３は、これらを連通する外部排熱源Ｑ１、Ｑ２、Ｑ４、Ｑ５、Ｑ６、Ｑ７及び冷媒それぞれの温度が、熱的に対象となる吸収溶液ラインの温度より高温で、吸収溶液にドレンの保有する熱量が投入されること（換言すれば吸収溶液から熱が逆流しないこと）が必要条件である。
したがって、吸収冷温水機Ｒ４の温度状況、空調負荷、バーナー加熱温度、外気条件及び外部排熱源Ｑ１、・・Ｑ７の温度等によって、各再生器２２０、２２４、２２８、２２２、２５５、２３０の何れか１つあるいは全数を含む何れか複数が介装されている。
【００３４】
あるいは、図示の実施形態において、再生器２２０、２２４、２２８、２２２、２５５、２３０の全てを介装しなくてもよい。換言すれば、図示の再生器２２０、２２４、２２８、２２２、２５５、２３０は、そのうちの１つ或いは複数が介装されていればよく、全てを介装する必要はない。もちろん、全ての再生器２２０、２２４、２２８、２２２、２５５、２３０を介装してもよい。
【００３５】
なお、外部排熱源Ｑ１、・・Ｑ７それぞれと、再生器２２０、２２４、２２８、２２２、２５５、２３０とを、個々に連通させることは必須でなく、熱交換器の機能が果たされるなら１つ或いは複数（外部排熱源Ｑ１〜Ｑ７を全て含む場合を除く。）の熱源で複数の熱交換器にシリーズに供熱してもよいし、パラレルに供熱してもよい。即ち、熱交換の可能な連通の組み合わせを自由に選択してよい。
【００３６】
上記吸収冷温水機Ｓ８の作用を、２２０、２２４、２２８、２２２、２５５、２３０及び第１、第２の冷媒ドレン熱交換器３５２、３５３の全てが介装されている例について説明する。
吸収器２０８から吸収溶液ライン２３４に吐出された冷媒を含む低温の稀釈吸収溶液は、第１の吸収部２０８Ｌを経由して分岐部２３４ａに向かう。第１の吸収部２０８Ｌでは、低温再生器２０６から供給されて滴下する吸収溶液で加熱され昇温する。
【００３７】
そして、分岐部２３４ａで分岐して、一方は領域２３８ａを通過して第２の冷媒ドレン熱交換器３５８で加熱され昇温し、分岐部２３４ａで直行の他方の稀釈吸収溶液２３８ｂは低温溶液熱交換器３００を通過して加熱され昇温し、合流部２３４ｂで合流する。
【００３８】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【００３９】
合流部２３４ｂを通過した稀釈吸収溶液は、再生器２２８を通過して排熱Ｑ４によって加熱され昇温し、分岐部２３４ｃで、一方は中温溶液熱交換器３０２を通過して加熱され昇温し、合流部２３４ｄに向かう。
再生器２２８で蒸発し再生した冷媒蒸気は、冷媒蒸気ライン２１９を介して凝縮器２１０に導かれる。
分岐部２３４ｃで分岐した他方は第１の冷媒ドレン熱交換器３５２で加熱され昇温し合流部２３４ｄで合流する。
【００４０】
なお、分岐部２３４ｃでの吸収溶液の分岐割合は、前記の分岐部２３４ａでの分岐要領と同じである。
【００４１】
合流部２３４ｄを通過した稀釈吸収溶液は、再生器２２４、高温溶液熱交換器３０４、再生器２２０を通過して排熱Ｑ２、Ｑ１等で加熱され昇温し、高温再生器２０２に導入される。
再生器２２４、２２０で蒸発し再生した冷媒蒸気は、それぞれ冷媒蒸気ライン２１９を介して凝縮器２１０に導かれる。
【００４２】
冷媒溶液を含んだ稀釈吸収溶液は、高温再生器２０２でバーナーＢｎにより加加熱され、冷媒溶液を蒸気として再生され、濃縮された吸収溶液は、吸収溶液ライン３４０によって高温溶液熱交換器３０４及び再生器２２２で熱量を投入して中温再生器２０４に向かう。
【００４３】
高温再生器２０２で加熱され昇温した吸収溶液は、高温溶液熱交換器３０４、再生器２２２で熱量を投入して中温再生器２０４に向かう。
再生器２２２では、さらに排熱Ｑ５によって加熱され、蒸発し再生した冷媒蒸気は冷媒蒸気ライン１４Ｂｄを介して凝縮器２１０に導かれる。
【００４４】
中温再生器２０４で加熱された吸収溶液の一部は、冷媒蒸気となって第２の冷媒蒸気ライン２１８に導かれ、低温再生器２０６で熱量を投入してライン２１８Ａ、２１６Ａを介して凝縮器２１０に導かれる。
中温再生器２０４で加熱され昇温した吸収溶液は、ライン２４４を介して、中温熱交換器３０２、再生器２５５で熱量を投入して低温再生器２０６に向かい熱量を投入する。
【００４５】
低温再生器２０６で濃縮された吸収溶液は、低温溶液熱交換器３００及び再生器２３０で熱量を投入して吸収器２０８に向かう。
【００４６】
冷媒の移動については、高温再生器２０２で稀釈吸収溶液を蒸発分離させて、高熱量をもった蒸気として第１の冷媒蒸気ライン２１６を介して中温再生器２０４で吸収溶液を加熱させ、さらに、第１及び第２の冷媒ドレン熱交換器３５２、３５８で稀釈吸収溶液を加熱させる。また、中温再生器２０４で蒸発分離された冷媒蒸気も、第２の冷媒蒸気ライン２１８を介して低温再生器２０６で熱量を放出し、さらに冷媒蒸気ライン２１６Ａを介して第２の冷媒ドレン熱交換器３５８で熱量を投入する。
【００４７】
低温再生器２０２で蒸発分離された冷媒蒸気は、凝縮器２１０で凝縮され、蒸発器２１２で蒸発して外部流体と熱交換する。また、吸収器２０８で冷媒が外部流体と熱交換する。
【００４８】
上記の吸収溶液の流動過程で、再生器２２０、２２４、２２８、２２２、２５５、２３０では排熱Ｑ１、Ｑ２、Ｑ４、Ｑ５、Ｑ６、Ｑ７によって冷媒が蒸気として再生され、第３、第４の冷媒蒸気ライン２１９、１４Ｂｄを介して凝縮器２１０に導かれるとともに、吸収溶液は昇温する。
【００４９】
冷媒が蒸発し吸収溶液に吸収される過程で、吸収器２０８及び蒸発器２１２が２段となっているので、それぞれの機能が大きく作用する。
【００５０】
このようにして、低温の稀釈吸収溶液と高温の濃縮吸収溶液との熱交換器による従来の熱の回収に加えて、外部排熱源の熱量を吸収溶液ラインに設けた再生器２２０、・・２３０等に投入して、吸収冷温水機Ｓ８の系としての熱効率の向上をはかっている。
【００５１】
図６は、本発明の参考例であるパラレルフロータイプの３重効用吸収冷温水機Ｐ２を示し、後記する第２実施形態の参考にされる。
図６において、吸収冷温水機Ｐ２は、高温再生器２０２と、中温再生器２０４と低温再生器２０６と吸収器２０８と凝縮器２１０と、蒸発器２１２と、吸収溶液が流れるライン２３４等と、冷媒蒸気が流れるライン２１６等と、吸収溶液を加熱用熱源のバーナーＢｎと、外部の排熱により吸収溶液を加熱し再生させる再生器２２０、２２４Ａ、・・・、２２３、２２５、２３０等、とで主要部が構成されていている。
【００５２】
吸収溶液の径路について説明する。
吸収器２０８と高温再生器２０２は、稀釈吸収溶液ライン２３４で連通され、吸収溶液ライン２３４に設けられた分岐部３０８で分岐した第１の分岐ライン３０６が低温再生器２０６に連通されている。第１の分岐ライン３０６は、吸収溶液ライン２３４の低温溶液熱交換器３００と中温溶液熱交換器３０２との間に位置している。
【００５３】
吸収溶液ライン２３４の、分岐部３０８と高温再生器２０２との間に分岐部３１１が設けられ、分岐部３１１から分岐した第２の分岐ライン３１０が中温再生器２０４に連通されている。第２の分岐ライン３１０は、吸収溶液ライン２３４の中温溶液熱交換器３０２と高温溶液熱交換器３０４との間に位置している。
【００５４】
高温再生器２０２と吸収器２０８は、吸収溶液ライン３１２で連通されていて、吸収溶液ライン３１２に設けられた合流部３２０と中温再生器２０４とは吸収溶液ライン３１８で連通されている。また、合流部３２０と吸収器２０８との間に合流部３２４が設けられ、合流部３２４と低温再生器２０６とは吸収溶液ライン３２２で連通されている
【００５６】
吸収溶液ライン３１２の、高温再生器２０２と合流部３２０との間に、稀釈吸収溶液ライン２３４と熱的に接触する高温溶液熱交換器３０４が装着されている。
また、合流部３２０と合流部３２４との間に、稀釈吸収溶液ライン２３４と熱的に接触する中温溶液熱交換器３０２が装着されている。
また、合流部３２４と吸収器２０８との間に、稀釈吸収溶液ライン２３４と熱的に接触する低温溶液熱交換器３００が装着されている。
【００５７】
冷媒再生の径路について説明する。
高温再生器２０２と中温再生器２０４とは、第１の冷媒蒸気ライン２１６で連通され、ライン２１６内を通過する冷媒蒸気が保有する熱量が、中温再生器２０４内の吸収溶液に投入されて冷媒蒸気が再生されるよう構成されている。
中温再生器２０４を通過した第１の冷媒蒸気ライン２１６は、冷媒蒸気ライン２１６Ａとなって凝縮器２１０に連通されている
【００５８】
また、中温再生器２０４と低温再生器２０６とは、第２の冷媒蒸気ライン２１８で連通され、第２の冷媒蒸気ライン２１８内を通過する冷媒蒸気が保有する熱量が、低温再生器２０６内の吸収溶液に投入されて冷媒蒸気が再生されるよう構成されている。
低温再生器２０６を通過した第２の冷媒蒸気ライン２１８は、冷媒蒸気ライン２１８Ａとなって、第２の冷媒蒸気ライン２１６Ａに合流部１８Ｇで合流するよう構成されている。
【００５９】
高温再生器２０２に、加熱用熱源であるバーナーＢｎが付設され、ライン２１４によって燃料Ｑ０がバーナーＢｎに供給されるよう構成されている。バーナーＢｎは、高温再生器２０２内の吸収溶液に熱量を投入して冷媒溶液を再生させるよう構成されている。
【００６０】
なお、加熱用熱源は、バーナーＢｎに限定されるものでなく、電熱ヒーター、蒸気ヒーター等であってもよい。
【００６１】
以下、吸収溶液ラインに装着される排熱利用の再生器について説明する。
再生器２２０は、吸収溶液ライン２３４の、高温再生器２０２と高温溶液熱交換器３０４との間の領域２５２に介装され、ライン５１０によって外部排熱源Ｑ１に連通されている。
再生器２２４Ａは、吸収溶液ライン２３４の高温溶液熱交換器３０４と分岐部３１１との間の領域２４６Ｂに介装され、ライン５２０によって外部排熱源Ｑ２に連通されている。
【００６２】
再生器２２４Ｂは、吸収溶液ライン２３４の分岐部３１１と中温溶液熱交換器３０２との間に介装され、ライン５２Ａによって外部排熱源Ｑ３に連通されている。
再生器２２８Ａは、吸収溶液ライン２３４の中温溶液熱交換器３０２と分岐部３０８との間に介装され、ライン５３０によって外部排熱源Ｑ３に連通されている。
【００６３】
再生器２２８Ｂは、吸収溶液ライン２３４の分岐部３０８と低温溶液熱交換器３００との間の領域２４０Ｂに介装され、ライン５３Ａによって外部排熱源Ｑ３に連通されている。ている。
再生器２３２は、吸収溶液ライン２３４の低温溶液熱交換器３００と吸収器２０８との間の領域２３５に介装され、ライン５４０によって外部排熱源Ｑ４に連通されている。
【００６４】
再生器２２３は、第２の分岐ライン３１０に介装され、ライン５Ｑ０によって外部排熱源Ｑ１０に連通されている。
再生器２２５は、第１の分岐ライン３０６に介装され、ライン５Ｑ１によって外部排熱源Ｑ１１に連通されている。
再生器２３０は、低温溶液熱交換器３００と吸収器２０８を連通する吸収溶液ライン３２２の領域３１２に介装され、ライン５Ｑ２によって外部排熱源Ｑ１２に連通されている。
【００６５】
上記各再生器２２０、２２４Ａ、２２４Ｂ、２２８Ａ、２２８Ｂ、２３２、２２３、２２５、２３０は、これらを連通する外部排熱源Ｑ１、Ｑ２、Ｑ２Ａ、Ｑ３、Ｑ３Ａ、Ｑ４、Ｑ１０、Ｑ１１、Ｑ１２のそれぞれの温度が、熱的に対象となる吸収溶液ライン２３４、３１０等を流れる吸収溶液の温度より高温で、吸収溶液に外部排熱の保有する熱量が投入されること（換言すれば吸収溶液から熱が逆流しないこと）が必要条件である。
したがって、吸収冷温水機Ｐ２の温度状況、空調負荷、バーナー加熱温度、外気条件及び外部排熱源Ｑ１、Ｑ２、Ｑ２Ａ、Ｑ３、Ｑ３Ａ、Ｑ４、Ｑ１０、Ｑ１１、Ｑ１２の温度等によって、各再生器２２０、２２４Ａ、２２４Ｂ、２２８Ａ、２２８Ｂ、２３２、２２３、２２５、２３０の何れか１つあるいは全数を含む何れか複数が介装されている。
【００６６】
あるいは、図示の実施形態において、再生器２２０、２２４Ａ、２２４Ｂ、２２８Ａ、２２８Ｂ、２３２、２２３、２２５、２３０の全てを介装しなくてもよい。換言すれば、図示の再生器２２０、２２４Ａ、２２４Ｂ、２２８Ａ、２２８Ｂ、２３２、２２３、２２５、２３０は、そのうちの１つ或いは複数が介装されていればよく、全てを介装する必要はない。もちろん、全ての再生器２２０、２２４Ａ、２２４Ｂ、２２８Ａ、２２８Ｂ、２３２、２２３、２２５、２３０を介装してもよい。
【００６７】
なお、外部排熱源Ｑ１、Ｑ２、・・・Ｑ１１、Ｑ１２それぞれと、再生器２２０、２２４Ａ、２２４Ｂ、２２８Ａ、２２８Ｂ、２３２、２２３、２２５、２３０とを、個々に連通させることは必須でなく、熱交換器の機能が果たされるなら１つ或いは複数（外部排熱源Ｑ１〜Ｑ７を全て含む場合を除く。）の熱源で複数の熱交換器にシリーズに供熱してもよいし、パラレルに供熱してもよい。即ち、熱交換の可能な連通の組み合わせを自由に選択してよい。
【００６８】
再生器２２０、２２４Ａ、２２４Ｂ、２２８Ａ、２２８Ｂ、２３２、２２３、２２５、２３０に関する冷媒蒸気ラインについて説明する。
再生器２２０と凝縮器２１０との間に、合流部２１９Ｇ４を有する第３の冷媒蒸気ライン２１９が連通されていて、再生器２２４Ａ、２２４Ｂ、２２８Ａ、２２８Ｂ、２３２がそれぞれ合流部２１９ｇ１、２１９ｇ２、２１９ｇ３、２１９ｇ４、２１９Ｇ３で合流するよう連通されている。
【００６９】
また、再生器２２３と合流部２１９Ｇ４との間に、第４の冷媒蒸気ライン２２１Ｂが連通されていて、再生器２２５、２３０がそれぞれ合流部２１Ｇ、２２Ｇで合流するよう連通されている。
【００７０】
上記吸収冷温水機Ｐ２の作用を、各再生器２２０、２２４Ａ、２２４Ｂ、２２８Ａ、２２８Ｂ、２３２、２２３、２２５、２３０の全てが介装されている例について説明する。
吸収器２０８で稀釈された吸収溶液は、吸収溶液ライン２３４から高温再生器２０２に向かって進み、最初に再生器２３２で排熱Ｑ４により加熱される。ここで、蒸発した冷媒蒸気は冷媒蒸気ライン２１９を介して凝縮器２１０に導かれ、昇温した吸収溶液は高温再生器２０２向かう。
【００７１】
ついで、低温溶液熱交換器３００で加熱され昇温して、さらに再生器２２８Ｂで排熱Ｑ３Ａによって加熱され、蒸発し再生した冷媒蒸気は冷媒蒸気ライン２１９を介して凝縮器２１０に導かれ、昇温した吸収溶液は高温再生器２０２向かう。
ついで、分岐部３０８で吸収溶液は分岐され、一方は低温再生器２０６に向かい、他方は高温再生器２０２に向かう。
低温再生器２０６に向かった吸収溶液は、再生器２２５によって排熱Ｑ１１により加熱され、再生された冷媒蒸気はライン２２１Ｂを介して凝縮器２１０に導かれる。昇温した吸収溶液は低温再生器２０６に向かう。
【００７２】
高温再生器２０２に向かった吸収溶液の他方は、再生器２２８Ａ、中温溶液熱交換器３０２、再生器２２４Ｂで排熱Ｑ３、Ｑ２Ａ等によって加熱され昇温し、冷媒溶液を再生させる。再生した冷媒蒸気は、それぞれ冷媒蒸気ライン２１９を介して凝縮器２１０に導かれ、昇温した吸収溶液は、分岐部３１１で分岐され、一方は中温再生器２０４に向かい他方は高温再生器２０２に向かう。
【００７３】
中温再生器２０４に向かった吸収溶液は、再生器２２３によって排熱Ｑ１０により加熱され、再生された冷媒蒸気はライン２２１Ｂを介して凝縮器２１０に導かれる。昇温した吸収溶液は中温再生器２０４に向かう。
【００７４】
分岐部３１１で高温再生器２０２に向かった吸収溶液は、再生器２２４Ａ、高温溶液熱交換器３０４、再生器２２０で排熱Ｑ２、Ｑ１等によって加熱され昇温し冷媒溶液を再生させる。再生した冷媒蒸気は、それぞれ、冷媒蒸気ライン２１９を介して凝縮器２１０に導かれ、昇温した吸収溶液は高温再生器２０２に向う。
【００７５】
高温再生器２０２でバーナーＢｎによって加熱された稀釈吸収溶液の一部は、冷媒蒸気となって第１の冷媒蒸気ライン２１６に導かれ、中温再生器２０４に熱量を投入し、第２の冷媒蒸気ライン２１６Ａを介して凝縮器２１０に導かれる。
高温再生器２０２で加熱され昇温した吸収溶液は、高温熱交換器３０４で熱量を投入して分岐部３２０に向う。
【００７６】
中温再生器２０４で加熱された吸収溶液の一部は、冷媒蒸気となって第２の冷媒蒸気ライン２１８に導かれ、低温再生器２０６で熱量を投入してライン２１８Ａ、２１６Ａを介して凝縮器２１０に導かれる。
中温再生器２０４で加熱され昇温した吸収溶液は、分岐部３２０で高温再生器２０２からの吸収溶液と合流する。
【００７７】
分岐部３２０で合流した吸収溶液は、中温溶液熱交換器３０２で熱量を投入して、合流部３２４に向う。
低温再生器２０６で加熱された吸収溶液は、合流部３２４で高、中温再生器２０２、２０４からの吸収溶液と合流して低温溶液熱交換器３００で熱量を投入して吸収器２０８に向う。
【００７８】
低温溶液熱交換器３００で熱量を投入して吸収器２０８に向った吸収溶液は、排熱Ｑ１２によって加熱され、再生された冷媒蒸気はライン２２１Ｂによって凝縮器２１０に導かれ、昇温した吸収溶液は吸収器２０８に向かう。
【００７９】
このようにして、低温の稀釈吸収溶液と高温の濃縮吸収溶液との熱交換器による従来の熱の回収に加えて、外部排熱源の熱量を吸収溶液ラインに設けた再生器に投入して、吸収冷温水機Ｓ２の系としての熱効率の向上をはかっている。
【００８０】
図２は、本発明の第２実施形態である冷媒ドレン熱交換器つきのパラレルフロータイプの３重効用吸収冷温水機Ｐ９を示している。図１及び参考例である図６と異なる部分を主体に説明する。
【００８１】
吸収器２０８と高温再生器２０２は、稀釈吸収溶液ライン２３４で連通されている。
高温再生器２０２に向かう吸収溶液ライン２３４は、合流部２３４ｂで合流して領域２３６Ａとなって分岐部３０８に連通されている。
分岐部３０８で分岐した吸収溶液ラインの一方は第１の分岐ライン３０６によって低温再生器２０６に連通され、他方は分岐部２３４ｃに連通されている。
そして、分岐部２３４ｃで一方は中温溶液熱交換器３０２を径路とし、他方は第１の冷媒ドレン熱交換器３５２を径路として合流部２３４ｄに連通されている。
【００８２】
合流部２３４ｄと高温再生器２０２の間に、分岐部３１１が設けられていて、一方は第２の分岐ライン３１０によって中温再生器２０４に連通され、直行の他方は高温溶液熱交換器３０４を介装した領域２５２によって高温再生器２０２に連通されている。
【００８３】
高温再生器２０２と吸収器２０８とは、高温再生器２０２と分岐部３１１の間の領域２５２で高温溶液熱交換器３０４と熱的に接触する吸収溶液ライン３４０で連通されている。
その吸収溶液ライン３４０の径路では、合流部３２０と合流部３２４との間で中温溶液熱交換器３０２と熱的に接触し、合流部３２４と吸収器２０８との間で低温溶液熱交換器３００と熱的に接触して構成されている。
上記以外の吸収溶液ラインは、図６(参考例)と同じである。
【００８４】
再生器２２０は、吸収溶液ライン２３４の高温溶液熱交換器３０４と高温再生器２０２との間の領域２５２に介装され、ライン５１０によって外部排熱源Ｑ１に連通されている。
【００８５】
再生器２２４は、吸収溶液ライン２３４の高温溶液熱交換器３０４と合流部２３４ｄとの間に介装され、ライン５２０によって外部排熱源Ｑ２に連通されている。
再生器２２８は、吸収溶液ライン２３４の合流部２３４ｂと分岐部２３４ｃとの間に介装され、ライン５４０によって外部排熱源Ｑ４に連通されている。
【００８６】
再生器２２２は、吸収溶液ライン３１０に介装され、ライン５５０によって外部排熱源Ｑ５に連通されている。
再生器２５５は、吸収溶液ライン３０６に介装され、ライン５６０によって外部排熱源Ｑ６Ａに連通されている。
再生器２３０は、吸収溶液ライン３４０の低温溶液熱交換器３００と吸収器２０８との間に介装され、ライン５７０によって外部排熱源Ｑ７に連通されている。
【００８７】
再生器２２０と凝縮器２１０との間は、第３の冷媒蒸気ライン２１９で連通され、再生器２２４と２２８はそれぞれ蒸気ラインで合流部２１９Ｇ１、２１９Ｇ２で第３の冷媒蒸気ライン２１９に合流するよう構成されている。
【００８８】
また、再生器２２２と凝縮器２１０との間は、第４の冷媒蒸気ライン２２１Ｃで連通され、再生器２５５と２３０はそれぞれ蒸気ラインで合流部２１Ｊ、２１Ｋで第４の冷媒蒸気ライン２２１Ｃに合流するよう構成されている。
また、冷媒蒸気ライン、冷媒ドレンを搬送するラインたとえば、第１―第４の冷媒蒸気ライン２１６―２２１Ｃ等は、図１と同じである。
【００８９】
また、各再生器２２０、２２４、２２８、２２２、２２５、２３０及び冷媒ドレン熱交換器３５８、３５２を経由する熱媒体の温度が、熱的に対象となる吸収溶液ライン２３４を流れる吸収溶液の温度より高温で、吸収溶液にドレンの保有する熱量が投入されること（換言すれば吸収溶液から熱が逆流しないこと）が必要条件である。
したがって、吸収冷温水機Ｐ９の温度状況、空調負荷、バーナー加熱温度、外気条件及び外部排熱源Ｑ１、・・Ｑ７の温度等によって、各再生器２２０、２２４、２２８、２２２、２５５、２３０の何れか１つあるいは全数を含む何れか複数が介装されている。
【００９０】
あるいは、図示の実施形態において、再生器２２０、２２４、２２８、２２２、２５５、２３０の全てを介装しなくてもよい。換言すれば、図示の再生器２２０、２２４、２２８、２２２、２５５、２３０は、そのうちの１つ或いは複数が介装されていればよく、全てを介装する必要はない。もちろん、全ての再生器２２０、２２４、２２８、２２２、２５５、２３０を介装してもよい。
【００９１】
なお、外部排熱源Ｑ１、・・Ｑ７それぞれと、再生器２２０、２２４、２２８、２２２、２５５、２３０とを、個々に連通させることは必須でなく、熱交換器の機能が果たされるなら１つ或いは複数（外部排熱源Ｑ１〜Ｑ７を全て含む場合を除く。）の熱源で複数の熱交換器にシリーズに供熱してもよいし、パラレルに供熱してもよい。即ち、熱交換の可能な連通の組み合わせを自由に選択してよい。
【００９２】
上記吸収冷温水機Ｐ９の作用を、各再生器２２０、２２４、２２８、２２２、２２５、２３０及び冷媒ドレン熱交換器３５８、３５２の全てが介装されている例について説明する。
吸収器２０８から吸収溶液ライン２３４に吐出された冷媒を含む低温の稀釈吸収溶液は、第１の吸収部２０８Ｌを経由して分岐部２３４ａに向かう。第１の吸収部２０８Ｌでは、低温再生器２０６から供給されて滴下する吸収溶液で加熱され昇温する。
【００９３】
そして、分岐部２３４ａで分岐して一方は領域２３８ａを通過して第２の冷媒ドレン再生器３５８で加熱され昇温し、分岐部２３４で直行の他方の稀釈吸収溶液は低温溶液熱交換器３００を通過して加熱され昇温し、合流部２３４ｂで合流する。
【００９４】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【００９５】
合流部２３４ｂを通過した稀釈吸収溶液は、再生器２２８を通過して加熱され昇温し、分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【００９６】
なお、分岐部２３４ｃでの吸収溶液の分岐割合は、前記の分岐部２４３ａでの分岐要領と同じである。
合流部２３４ｄを通過した稀釈吸収溶液は、再生器２２４で加熱され昇温し分岐部３１１で分岐した一方は、再生器２２２で加熱され昇温して吸収溶液ライン３１０を介して中温再生器２０４に向かう。
【００９７】
分岐部３１１で分岐した他方の稀釈吸収溶液は、高温溶液熱交換器３０４、再生器２２０を通過して加熱され昇温し、高温再生器２０２に向う。
冷媒溶液を含んだ稀釈吸収溶液は、高温再生器２０２で加熱用蒸気ライン２１４による蒸気により加熱され、冷媒溶液を蒸気として再生され、濃縮された濃縮吸収溶液は、吸収溶液ライン３４０によって高温溶液熱交換器３０４で熱量を投入して吸収器２０８に向かう。
【００９８】
濃縮吸収溶液は、吸収溶液ライン３４０の径路で、中温溶液熱交換器３０２、低温溶液熱交換器３００で放熱して稀釈吸収溶液に熱量を投入する。
【００９９】
上記以外のバーナーＢｎによる加熱、吸収溶液の作用、再生器、冷媒ドレン熱交換器の作用等は、図１の実施例と実質的に同じである。
このようにして、低温の稀釈吸収溶液と高温の濃縮吸収溶液との熱交換器による従来の熱の回収に加えて、外部排熱源の熱量を吸収溶液ラインに設けた再生器２２０、・・２３０等に投入して、吸収冷温水機Ｐ９の系としての熱効率の向上をはかっている。
【０１００】
図３は第３実施形態である冷媒ドレン熱交換器を設けたシリーズ・パラレルフロータイプ吸収冷温水機ＳＰ１０の構成を示している。図２と異なる部分を主体に説明する。
【０１０１】
吸収器２０８と低温再生器２０６は、第１の吸収部２０８Ｌを経由する稀釈吸収溶液ライン２３４で連通されている。吸収溶液ライン２３４は、第１の吸収部２０８Ｌから領域２３５ａによって分岐部２３４ａに連通されている。
【０１０２】
高温再生器２０２に向かう吸収溶液ライン２３４は、分岐部２３４ａで、低温溶液熱交換器３００を介装した領域２３８ａと第２の冷媒ドレン熱交換器３５８を介装した領域２３８ｂとに分岐され、合流部２３４ｂで合流するよう構成されている。
【０１０３】
合流部２３４ｂと分岐部２３４ｃとの間に分岐部３０８が設けられ、分岐する第１の分岐ライン３０６で合流部２４４ｇによって吸収溶液ライン２４２に連結され、低温再生器２０６に連通されている。
また、分岐部２３４ｃで、中温溶液熱交換器３０２を介装した領域２３８ｄと第１の冷媒ドレン熱交換器３５２を介装した領域２３８ｃとに分岐され、合流部２３４ｄで合流するよう構成されている。
【０１０４】
また、合流部２３４ｄと高温再生器２０２との間の領域２５２に高温溶液熱交換器３０４が介装されている。
合流部２３４ｄと高温溶液熱交換器３０４との間に分岐部３１１が設けられ、分岐する第２の分岐ライン３１０によって中温再生器２０４に連通されている。
高温再生器２０２と中温再生器２０４とは、熱的に接触する高温溶液熱交換器３０４を介した吸収溶液ライン１０４で連通され、また第１の冷媒蒸気ライン２１６で連通されている。第１の冷媒蒸気ライン２１６は、ライン２１６内を通過する冷媒蒸気が保有する熱量が、中温再生器２０４内の吸収溶液に投入されて冷媒蒸気が再生されるよう構成されている。
【０１０５】
中温再生器２０４と低温再生器２０６とは、中温溶液熱交換器３０２と熱的に接触する吸収溶液ライン２４４で連通されている。
【０１０６】
低温再生器２０６と凝縮器２１０は、第２の冷媒ドレン熱交換器３５８と熱的に接触する冷媒蒸気ライン２１８Ａで連通されている。また、低温再生器２０６と吸収器２０８とは、低温溶液熱交換器３００と熱的に接触する吸収溶液ライン３７２で連通されている。
【０１０７】
再生器２２０は、吸収溶液ライン２３４の高温溶液熱交換器３０４と高温再生器２０２との間の領域２５２に介装され、排熱源Ｑ１に連通されている。
再生器２２４は、吸収溶液ライン２３４の分岐部３１１と合流部２３４ｄとの間に熱的に接触して介装され、排熱源Ｑ２に連通されている。
再生器２２８は、吸収溶液ライン２３４の合流部２３４ｂと分岐部２３４ｃとの間に介装され、排熱源Ｑ４に連通されている。
【０１０８】
再生器２２２は、吸収溶液ライン３１０に介装され、排熱源Ｑ５に連通されている。
再生器２２２Ｓは、吸収溶液ライン１０４の高温溶液熱交換器３０４と中温再生器２０４との間に介装され、排熱源Ｑ５Ａに連通されている。
再生器２５６は、吸収溶液ライン２４４の中温溶液熱交換器３０２と合流部２４４ｇとの間に介装され、排熱源Ｑ６に連通されている。
【０１０９】
再生器２２５は、吸収溶液ライン３０６に介装され、排熱源Ｑ６Ａに連通されている。
再生器２３０は、吸収溶液ライン２３８の低温溶液熱交換器３００と吸収器２０８との間に介装され、排熱源Ｑ７に連通されている。
【０１１０】
再生器２２０と凝縮器２１０との間は、第３の冷媒蒸気ライン２１９で連通され、再生器２２２、２２８はそれぞれ第３の冷媒蒸気ラインに連通されている。
再生器２２２と凝縮器２１０との間は、第４の冷媒蒸気ライン１４Ｂｄで連通され、再生器２２２Ｓ、２５６、２２５、２３０はそれぞれ第４の冷媒蒸気ラインでライン１４Ｂｄに連通されている。
【０１１１】
上記各再生器２２０、２２４、２２８、２２２、２２２Ｓ、２５６、２２５、２３０及び第１、第２の冷媒ドレン熱交換器３５２、３５８は、これらを経由する熱媒体の温度が、熱的に対象となる吸収溶液ライン２３４を流れる吸収溶液の温度より高温で、吸収溶液にドレンの保有する熱量が投入されること（換言すれば吸収溶液から熱が逆流しないこと）が必要条件である。
【０１１２】
したがって、吸収冷温水機ＳＰ１０の温度状況、空調負荷、加熱蒸気の温度、外気条件等によって、各再生器２２０、２２４、２２８、２２２、２２２Ｓ、２５６、２２５、２３０及び第１、第２の冷媒ドレン熱交換器３５２、３５８の何れか１つあるいは全数を含む何れか複数が介装されている。
【０１１３】
あるいは、図示の実施形態において、再生器２２０、２２４、２２８、２２２、２２２Ｓ、２５６、２２５、２３０の全てを介装しなくてもよい。換言すれば、図示の再生器２２０、２２４、２２８、２２２、２２２Ｓ、２５６、２２５、２３０は、そのうちの１つ或いは複数が介装されていればよく、全てを介装する必要はない。もちろん、全ての再生器２２０、２２４、２２８、２２２、２２２Ｓ、２５６、２２５、２３０を介装してもよい。
なお、外部排熱源Ｑ１、・・Ｑ７それぞれと、再生器２２０、２２４、２２８、２２２、２５５、２３０とを、個々に連通させることは必須でなく、熱交換器の機能が果たされるなら１つ或いは複数（外部排熱源Ｑ１〜Ｑ７を全て含む場合を除く。）の熱源で複数の熱交換器にシリーズに供熱してもよいし、パラレルに供熱してもよい。即ち、熱交換の可能な連通の組み合わせを自由に選択してよい。
上記以外の構成は、図２と同じである。
【０１１４】
上記吸収冷温水機ＳＰ１０の作用を、各再生器２２０、２２４、２２８、２２２、２２２Ｓ、２５６、２２５、２３０及び第１、第２の冷媒ドレン熱交換器３５２、３５３の全てが介装されている例について説明する。
吸収器２０８から吸収溶液ライン２３４に吐出された冷媒を含む低温の稀釈吸収溶液は、第１の吸収部２０８Ｌを経由して分岐部２３４ａに向かう。第１の吸収部２０８Ｌでは、低温再生器２０６から供給されて滴下する吸収溶液で加熱され昇温する。
【０１１５】
分岐部２３４ａで分岐した一方は、領域２３８ａを通過して第２の冷媒ドレン熱交換器３５８で加熱され昇温し、他方の稀釈吸収溶液２３８ｂは低温溶液熱交換器３００を通過して加熱され昇温し、合流部２３４ｂで合流する。
【０１１６】
なお、分岐部２３４ａでの吸収溶液の分岐割合は、第２の冷媒ドレン熱交換器３５８及び低温溶液熱交換器３００からの受熱の合計熱量が最大となって合流部２３４ｂでの吸収溶液の温度が最大になるように配分される。
【０１１７】
合流部２３４ｂを通過した稀釈吸収溶液は、再生器２２８を通過して加熱され昇温し、分岐部３０８で分岐する。分岐した一方は、吸収溶液ライン３０６を介して低温再生器２０６に導入され第２の冷媒蒸気ライン２１８で加熱され冷媒を再生させる。分岐部３０８で分岐した他方は、次の分岐部２３４ｃに向かう。
【０１１８】
分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【０１１９】
なお、分岐部２３４ｃでの吸収溶液の分岐割合は、前記の分岐部２３４ａでの分岐要領と同じである。
【０１２０】
合流部２３４ｄを通過した吸収溶液は、再生器２２４で加熱され昇温して分岐部３１１で分岐する。分岐した一方は吸収溶液ライン３１０で中温再生器２０４に向う。
分岐部３１１で分岐された直行の他方は、高温溶液熱交換器３０４と再生器２２０とで加熱され昇温して高温再生器２０２に向う。
高温再生器２０２で、冷媒溶液を含んだ稀釈吸収溶液がバーナーＢｎにより加加熱され、冷媒溶液を蒸気として再生され、濃縮された吸収溶液は、吸収溶液ライン１０４によって高温溶液熱交換器３０４及び再生器２２２で熱量を投入して中温再生器２０４に向かう。
【０１２１】
中温再生器２０４で、冷媒溶液を蒸気として再生され、濃縮された吸収溶液は、吸収溶液ライン２４４によって中温溶液熱交換器３０２で放熱して低温再生器２０４に向かう。
低温再生器２０６で濃縮された吸収溶液は、低温溶液熱交換器３００で放熱して吸収器２０８に向かう。
【０１２２】
冷媒の移動については、高温再生器２０２で稀釈吸収溶液を蒸発再生させて、高熱量をもった冷媒蒸気として第１の冷媒蒸気ライン２１６を介して中温再生器２０４で吸収溶液を加熱し昇温させる。
さらに、ライン２１６Ａとなって第１の冷媒ドレン熱交換器３５２で稀釈吸収溶液を加熱させる。また、中温再生器２０４で蒸発分離された冷媒蒸気も、第２の冷媒蒸気ライン２１８を介して低温再生器２０６で熱量を投入放出し、さらに冷媒蒸気ライン２１８Ａを介して合流部３５４で第１の蒸気ライン２１６Ａと合流して第２の冷媒ドレン熱交換器３５８で熱量を投入する。
【０１２３】
低温再生器２０２で蒸発再生された冷媒蒸気は、凝縮器２１０で凝縮され、蒸発器２１２で蒸発して外部流体と熱交換する。また、吸収器２０８で冷媒が外部流体と熱交換する。
【０１２４】
上記、吸収溶液の流動過程で、再生器２２０、２２４、２２８、２２２、２２２Ｓ、２５６、２２５、２３０で冷媒が再生され、第３及び第４の冷媒蒸気ライン２１９、１４Ｂｄを介して凝縮器２１０に導かれるとともに吸収溶液温度を昇温させる。
【０１２５】
このようにして、低温の稀釈吸収溶液と高温の濃縮吸収溶液との熱交換器による従来の熱の回収に加えて、外部排熱源の熱量を吸収溶液ラインに設けた再生器２２０、・・２３０等に投入して、吸収冷温水機ＳＰ１０の系としての熱効率の向上をはかっている。
【０１２６】
図４は第４実施形態である冷媒ドレン熱交換器を設けたリバースフロータイプ吸収冷凍機Ｒ１１の構成を示している。図１と異なる部分を主に説明する。
【０１２７】
吸収器２０８と低温再生器２０６は、第１の吸収部２０８Ｌを経由する稀釈吸収溶液ライン２３４で連通されている。吸収溶液ライン２３４は、第１の吸収部２０８Ｌから領域２３５ａによって分岐部２３４ａに連通され、分岐部２３４ａで、領域２３８ａと領域２３８ｂとに分岐されている。
【０１２８】
領域２３８ａは、第２の冷媒ドレン熱交換器３５８を介装して合流部２３４ｂに連通され、領域２３８ｂは、低温溶液熱交換器３００を介装して合流部２３４ｂに連通されている。
【０１２９】
高温再生器２０２に向かう吸収溶液ライン２３４は、合流部２３４ｂで合流して領域２３８ｃとなって再生器２２８Ｂに熱的に接触して低温再生器２０６に連通されている。
【０１３０】
低温再生器２０６と中温再生器２０４とは、吸収溶液ライン２６２で連通されている。吸収溶液ライン２６２に、分岐部２３４ｃが設けられ、領域２３８ｃと領域２３８ｄとに分岐されている。
【０１３１】
領域２３８Ｃは、第１の冷媒ドレン熱交換器３５２を介装して合流部２３４ｄに連通され、領域２３８ｄは、中温溶液熱交換器３０２を介装して合流部２３４ｄに連通されている。
合流部２３４ｄと中温再生器２０４とは、再生器２３４Ｂに熱的に接触する領域３８４で連通されている。
【０１３２】
中温再生器２０４と高温再生器２０２は、高温溶液熱交換器３０４を介装し、再生器２２０に熱的に接触する領域２５２で連通されている。
高温再生器２０２と吸収器２０８は吸収溶液ライン１１０で連通されていて、前記の高、中、低温溶液熱交換器３０４、３０２、３００に熱的に接触して第１の吸収器２０８Ｌに連通されている。
【０１３３】
再生器２２０は、吸収溶液ライン２３４の領域２５２の高温溶液熱交換器３０４と高温再生器２０２との間に、領域２５２と熱的に接触して介装され、ライン５１０によって外部排熱源Ｑ１に連通されている。
【０１３４】
再生器２３４Ｂは、吸収溶液ライン２３４の領域３８４の合流部２３４ｄと中温再生器２０４との間に、領域３８４と熱的に接触して介装され、ライン５３０によって外部排熱源Ｑ３に連通されている。
再生器２２８Ｂは、吸収溶液ライン２３４の領域２３８ｃの合流部２３４ｂと低温再生器２０６との間に、領域２３８ｃと熱的に接触して介装され、ライン５５０によって外部排熱源Ｑ５に連通されている。
【０１３５】
冷媒蒸気ライン、冷媒ドレンを搬送するラインたとえば、第１の冷媒蒸気ライン２１６、２１６Ａ、第１の冷媒蒸気ライン２１８等は、図１と同じである。
【０１３６】
上記各再生器２２０、２３４Ｂ、２２８Ｂ及び第１、第２の冷媒ドレン熱交換器３５２、３５８は、これらを経由する熱媒体の温度が、熱的に対象となる吸収溶液ライン２３４を流れる吸収溶液の温度より高温で、吸収溶液にドレンの保有する熱量が投入されること（換言すれば吸収溶液から熱が逆流しないこと）が必要条件である。
【０１３７】
したがって、吸収冷温水機ＳＰ１１の温度状況、空調負荷、加熱蒸気の温度、外気条件等によって、各再生器２２０、２３４Ｂ、２２８Ｂ及び第１、第２の冷媒ドレン熱交換器３５２、３５３の何れか１つあるいは全数を含む何れか複数が介装されている。
【０１３８】
あるいは、図示の実施形態において、再生器２２０、２３４Ｂ、２２８Ｂの全てを介装しなくてもよい。換言すれば、図示の再生器２２０、２３４Ｂ、２２８Ｂは、そのうちの１つ或いは複数が介装されていればよく、全てを介装する必要はない。もちろん、全ての再生器２２０、２３４Ｂ、２２８Ｂを介装してもよい。
なお、外部排熱源Ｑ１、Ｑ３、Ｑ５のそれぞれと、再生器２２０、２３４Ｂ、２２８Ｂとを、個々に連通させることは必須でなく、熱交換器の機能が果たされるなら１つ或いは２つの熱源で複数の熱交換器にシリーズに供熱してもよいし、パラレルに供熱してもよい。即ち、熱交換の可能な連通の組み合わせを自由に選択してよい。
【０１３９】
再生器２２０と凝縮器２１０は、第３の冷媒蒸気ライン２１９で連通され、再生器２３４Ｂ、２２８Ｂはそれぞれ第３の冷媒蒸気ライン２１９に合流するよう連通されている。
【０１４０】
上記吸収冷温水機Ｒ１１の作用を、各再生器２２０、２３４Ｂ、２２８Ｂ及び各冷媒ドレン熱交換器３５２、３５３の全てが介装されている例について説明する。
【０１４１】
吸収器２０８から吸収溶液ライン２３４に吐出された冷媒を含む低温の吸収溶液は、第１の吸収部２０８Ｌを経由して分岐部２３４ａに向かう。第１の吸収部２０８Ｌでは、低温再生器２０６から供給されて滴下する吸収溶液で加熱され昇温する。
【０１４２】
分岐部２３４ａで分岐した一方は、領域２３８ａを通過して第２の冷媒ドレン熱交換器３５８で加熱され昇温し、分岐部２３４ａで直行の他方の吸収溶液は低温溶液熱交換器３００を通過して加熱され昇温し、合流部２３４ｂで合流する。
【０１４３】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【０１４４】
合流部２３４ｂを通過した吸収溶液は、再生器２２８Ｂを通過して加熱され昇温し、低温再生器２０６に導入される。
低温再生器２０６で一部の冷媒が蒸発再生され、領域３８４を介して分岐部２３４ｃに向かい、分岐部２３４ｃで、一方は中温溶液熱交換器３０２を通過して加熱され昇温し、合流部２３４ｄに向かう。分岐部２３４ｃで分岐した他方は第１の冷媒ドレン熱交換器３５２で加熱され昇温し合流部２３４ｄで合流する。
【０１４５】
なお、分岐部２３４ｃでの吸収溶液の分岐割合は、前記の分岐部２３４ａでの分岐要領と同じである。
【０１４６】
合流部２３４ｄを通過した稀釈吸収溶液は、再生器２３４Ｂで加熱され昇温し中温再生器２０４に向かう。
中温再生器２０４でさらに濃縮された吸収溶液は、高温溶液熱交換器３０４と再生器２２０で加熱され昇温して、高温再生器２０２で加熱用蒸気ライン２１４を通過する加熱蒸気によって加熱され冷媒が蒸発分離して濃縮される。
【０１４７】
高温再生器２０２で濃縮された吸収溶液は、吸収溶液ライン１１０を通って高温、中温、低温溶液熱交換器３０４、３０２、３００で熱量を投入して第１の吸収部２０８Ｌに導入される。
【０１４８】
上記、吸収溶液の流動過程で、再生器２２０、２３４Ｂ、２２８Ｂで冷媒が再生され、第３の冷媒蒸気ライン２１９を介して凝縮器２１０に導かれるとともに吸収溶液温度を昇温させている。
【０１４９】
上記以外の吸収溶液の作用、冷媒蒸気、冷媒ドレンの作用は、図１の実施例と同じである。
【０１５０】
上記のようにして、リバースフロータイプ吸収冷温水機に、冷媒ドレン熱交換器と、複数段の吸収器、蒸発器と、溶液冷却吸収器を使用して、さらに外部排熱源の熱量を吸収溶液ラインに設けた再生器２２０、２３４Ｂ、２２８Ｂ等に投入して、吸収冷温水機ＳＰ１１の系としての熱効率の向上をはかっている。
【０１５１】
図５は第５実施形態である冷媒ドレン熱交換器を設けたリバース・パラレルフロータイプ吸収冷温水機ＲＰ１２の構成を示している。図４と異なる部分を主体に説明する。
低温再生器２０６と中温再生器２０４は、吸収溶液ライン２６２で連通されている。吸収溶液ライン２６２の低温再生器２０６と分岐部２３４ｃの間に分岐部２６４が設けられ、分岐部２６４に設けられた分岐ライン２６８は、吸収溶液ライン１１０の低温溶液熱交換器３００と中温溶液熱交換器３０２の間の合流部２６６に連通されている。
【０１５２】
中温再生器２０４と高温再生器２０２は、吸収溶液ライン２７０で連通されている。吸収溶液ライン２７０の中温再生器２０４と高温溶液熱交換器３０４の間に、分岐部２７２が設けられ、分岐部２７２に設けられた分岐ライン２７６は、吸収溶液ライン１１０の中温溶液熱交換器３０２と高温溶液熱交換器３０４の間の合流部２７４に連通されている。
上記以外の構成は、全て図４の吸収冷温水機Ｒ１１と同じである。
【０１５３】
上記吸収冷温水機ＲＰ１２の作用を、吸収冷温水機Ｒ１１と異なる部分を主体に説明する。
吸収器２０８から吸収溶液ライン２３４に吐出された冷媒を含む低温の吸収溶液は、第１の吸収器２０８Ｌを経由して分岐部２３４ａに向かう。第１の吸収部２０８Ｌでは、低温再生器２０６から供給されて滴下する吸収溶液で加熱され昇温する。
【０１５４】
分岐部２３４ａで分岐した吸収溶液の一方は、第２の冷媒ドレン熱交換器３５８で加熱され昇温し、他方の吸収溶液は低温溶液熱交換器３００を通過して加熱され昇温し、合流部２３４ｂで合流する。
【０１５５】
なお、分岐部２３４ａでの吸収溶液の分岐割合は、第２の冷媒ドレン熱交換器３５８、低温溶液熱交換器３００からの受熱の合計熱量が最大となって合流部２３４ｂでの吸収溶液の温度が最大になるように配分される。
【０１５６】
合流部２３４ｂを通過した吸収溶液は、再生器２２８Ｂを通過して排熱Ｑ５によって加熱され、低温再生器２０６に導入される。
低温再生器２０６で一部の冷媒が蒸発して再生され、分岐部２６４に向かい、分岐部２６４で、一方は分岐ライン２６８を介して合流部２６６で吸収溶液ライン１１０に合流して吸収器２０８に向かう。分岐した他方は、中温再生器２０４に向かう。
【０１５７】
中温再生器２０４で加熱され昇温した吸収溶液は、吸収溶液ライン２７０を介して分岐部２７２に向かい、分岐部２７２で、一方は分岐ライン２７６を介して合流部２７４で吸収溶液ライン１１０に合流して、吸収器２０８に向かう。他方は、高温溶液熱交換器３０４、再生器２２０で加熱され昇温して高温再生器２０２に向う。
【０１５８】
上記、吸収溶液の流動過程で、再生器２２０、２３４Ｂ、２２８Ｂで冷媒が再生され、第３の冷媒蒸気ライン２１９Ａを介して凝縮器２１０に導かれるとともに吸収溶液温度を昇温させる。
上記以外の吸収溶液の作用、冷媒蒸気、冷媒ドレンの作用は、図４の実施例と実質的に同じである。
【０１５９】
上記のようにして、リバースフロータイプ吸収冷温水機に、冷媒ドレン熱交換器と、複数段の吸収器、蒸発器と、溶液冷却吸収器を使用して、さらに外部排熱源の熱量を吸収溶液ラインに設けた再生器２２０、２３４Ｂ、２２８Ｂ等に投入して、吸収冷温水機ＲＰ１２の系としての熱効率の向上をはかっている。
【０１６０】
なお、図示の実施形態はあくまで例示であり、本発明の技術的範囲を限定する趣旨の記述ではない。
例えば、図示では各種のフロータイプ（例えば、シリーズフロー、パラレルフロー、リバースフロー、シリーズ・パラレルフロー、リバース・パラレルフロー）の代表的なもののみを示しているが、図示しないフローパターンにも本発明の利用が可能である。
また、冷媒ドレン熱交換器を配置し、下胴を複数段にし、溶液冷却吸収器を設け、吸収溶液ラインに外部排熱を利用する再生器を設ける実施形態は、図示以外にも多数考えられる。
【０１６１】
【発明の効果】
本発明の作用効果を、以下に列記する。
（１）  本発明によれば、吸収溶液ラインに設けた再生器に外部熱源の排熱を使用して循環する吸収溶液を加熱させているので、吸収冷温水機の系としての熱効率が高い。
（２）  吸収溶液ラインに設けた冷媒ドレン熱交換器に再生器で再生した冷媒蒸気を通し、吸収冷媒を加熱させるので熱の回収が大きくなる。
（３）  蒸発器と吸収器の下胴部分を複数段に分割すれば、機能が向上し熱効率がよくなる。
（４）  吸収器に溶液冷却吸収器を設ければ、再生器からの滴下吸収溶液の熱量をさらに回収できる。
【図面の簡単な説明】
【図１】本発明の第１実施形態の冷媒ドレン熱交換器を有するシリーズフロータイプ吸収冷温水機を示す構成図。
【図２】本発明の第２実施形態の冷媒ドレン熱交換器を有するパラレルフロータイプ吸収冷温水機を示す構成図。
【図３】本発明の第３実施形態の冷媒ドレン熱交換器を有するシリーズ・パラレルフロータイプ吸収冷温水機を示す構成図。
【図４】本発明の第４実施形態の冷媒ドレン熱交換器を有するリバースフロータイプ吸収冷温水機を示す構成図。
【図５】本発明の第５実施形態の冷媒ドレン熱交換器を有するリバース・パラレルフロータイプ吸収冷温水機を示す構成図。
【図６】本発明の参考例であるパラレルフロータイプ吸収冷温水機を示す構成図。
【図７】従来のシリーズフロータイプ吸収冷温水機を示す構成図。
【符号の説明】
２０２・・・高温再生器
２０４・・・中温再生器
２０６・・・低温再生器
２０８・・・吸収器
２１０・・・凝縮器
２１２・・・蒸発器
２２０、２２２、２２４、２２６、２２８、２３０、２３２・・再生器
２３４、２３８、２４０、２４４、２４６、２５０、２５２・・吸収溶液ライン
３００・・・低温溶液熱交換器
３０２・・・中温溶液熱交換器
３０４・・・高温溶液熱交換器
【図１】
0003791836.tif 000002
【図２】
0003791836.tif 000003
【図３】
0003791836.tif 000004
【図４】
0003791836.tif 000005
【図５】
0003791836.tif 000006
【図６】
0003791836.tif 000007
【図７】
0003791836.tif 000008